(57)【要約】【課題】噴射量指令値に相当する量の燃料を直噴インジェクタだけでは噴射しきれずにポート噴射インジェクタからも燃料の噴射を行う際、直噴インジェクタの温度上昇が生じることを抑制できるようにする。【解決手段】直噴インジェクタ７のみで噴射量指令値に相当する量の燃料を噴射している状況のもと、直噴噴射量（噴射量指令値）が直噴インジェクタ７から噴射可能な最大値よりも大きい値になると、次のように噴射量指令値に相当する量の燃料噴射を実現するための噴射処理が実行される。すなわち、直噴噴射量を上記最大値に調整しつつ、ポート噴射量をポート噴射インジェクタ６から噴射可能な最小値と同じかもしくは同最小値よりも大きい値に調整する。そして、上記噴射処理でポート噴射量を上記最小値に調整している期間中には、直噴噴射量を上記最大値に維持して直噴インジェクタ７からの燃料噴射を実行する。【選択図】図１
2014129738.tif 000002
【特許請求の範囲】
【請求項１】
吸気ポートに燃料を噴射するポート噴射インジェクタと筒内に燃料を噴射する直噴インジェクタとを備える内燃機関に適用され、それら直噴インジェクタとポート噴射インジェクタとの少なくとも一方により噴射量指令値に相当する量の燃料噴射を行う内燃機関の燃料噴射制御装置において、
前記直噴インジェクタから噴射される燃料の量である直噴噴射量が同直噴インジェクタから噴射可能な最大値よりも多いとき、前記直噴噴射量を前記最大値に調整しつつ、前記ポート噴射インジェクタから噴射される燃料の量であるポート噴射量を同ポート噴射インジェクタから噴射可能な最小値と同じか同最小値よりも大きい値に調整することにより、前記噴射量指令値に相当する量の燃料噴射を実現するための噴射処理を実行する制御部を備え、
前記制御部は、前記噴射処理で前記ポート噴射量を前記最小値に調整している期間中には、前記直噴噴射量を前記最大値に維持して前記直噴インジェクタからの燃料噴射を実行する
ことを特徴とする内燃機関の燃料噴射制御装置。
【請求項２】
前記制御部は、前記直噴噴射量が前記最大値よりも多いとき、前記直噴インジェクタの温度が判定値以下であることを条件に、前記直噴噴射量を前記最大値未満の値に減量補正する
請求項１記載の内燃機関の燃料噴射制御装置。
【請求項３】
前記制御部は、前記直噴噴射量が前記最大値よりも多いとき、前記直噴インジェクタの先端部の温度が判定値以下であることを条件に、前記直噴噴射量を前記最大値未満の値に減量補正する
請求項２記載の内燃機関の燃料噴射制御装置。
【請求項４】
前記制御部は、前記直噴噴射量の減量補正後、その直噴噴射量の減量補正量を「０」になるまで徐々に小さくしてゆく
請求項２又は３記載の内燃機関の燃料噴射制御装置。
【請求項５】
前記噴射量指令値は、機関運転状態に基づき求められる基本燃料噴射量に対し増量補正を行うことによって得られるものであり、
前記噴射量指令値が内燃機関の全負荷状態での燃料噴射量以下である状況のもとでは、同噴射量指令値に相当する量の燃料を、機関運転状態に応じて求められる噴き分け率をもって、前記ポート噴射インジェクタからの噴射と前記直噴インジェクタからの噴射とに分けて噴射する噴き分け噴射を行い、
前記噴射量指令値が内燃機関の全負荷状態での燃料噴射量よりも大きい値である状況のもとでは、前記噴射量指令値が前記直噴噴射量の最大値以下であれば同直噴噴射量を前記最大値に調整し、前記噴射量指令値が前記直噴噴射量の最大値よりも大きい値であれば前記制御部による噴射処理を実施する
請求項１〜４のいずれか一項に記載の内燃機関の燃料噴射制御装置。
【発明の詳細な説明】
【技術分野】
【０００１】
本発明は、内燃機関の燃料噴射制御装置に関する。
【背景技術】
【０００２】
吸気ポートに燃料を噴射するポート噴射インジェクタと筒内に燃料を噴射する直噴インジェクタとを備える内燃機関では、噴射量指令値に相当する量の燃料噴射が直噴インジェクタとポート噴射インジェクタとの少なくとも一方によって行われる。また、特許文献１には、噴射量指令値に相当する量の燃料の噴射を直噴インジェクタとポート噴射インジェクタとで分担して行うことが記載されている。詳しくは、直噴インジェクタに供給される燃料の圧力（燃圧）に基づき、その燃圧が低いほど上記噴射量指令値に相当する燃料の噴射におけるポート噴射インジェクタの分担分が多くされる。
【０００３】
ところで、噴射量指令値に相当する量の燃料噴射が直噴インジェクタのみを用いて行われている状況のもと、その直噴インジェクタからの噴射される燃料の量である直噴噴射量（上記噴射量指令値分の燃料量に相当）が、同直噴インジェクタから噴射可能な最大値よりも多くなることがある。このように直噴噴射量が上記最大値を越えて大きい値になる場合、直噴インジェクタだけでは噴射量指令値に相当する量の燃料を噴射しきれないため、その燃料の噴射を直噴インジェクタとポート噴射インジェクタとで分担して行うことが考えられる。
【先行技術文献】
【特許文献】
【０００４】
【特許文献１】特開２００１−３３６４３９公報
【発明の概要】
【発明が解決しようとする課題】
【０００５】
上述したように、噴射量指令値に相当する量の燃料の噴射を直噴インジェクタとポート噴射インジェクタとで分担して行う場合、ポート噴射インジェクタから噴射される燃料の量であるポート噴射量については、同ポート噴射インジェクタから噴射可能な最小値もしくは同最小値以上とする必要がある。
【０００６】
ただし、直噴噴射量が上記最大値を越えて大きい値になることに起因して、噴射量指令値に相当する量の燃料の噴射を直噴インジェクタとポート噴射インジェクタとで分担して行う際、直噴噴射量の上記最大値に対する増大幅がポート噴射量の上記最小値未満である可能性もある。この場合、ポート噴射量が上記最小値に調整される一方、直噴噴射量が噴射量指令値から上記最小値を減算した値、すなわち上記最大値未満の値に調整されるようになる。
【０００７】
このように直噴噴射量が上記最大値未満の値に調整されると、直噴インジェクタを通過して筒内に噴射される燃料の流量が低下するため、その燃料の通過による直噴インジェクタの冷却効率が低下して同直噴インジェクタの温度上昇が生じる。そして、こうした直噴インジェクタの温度上昇が同直噴インジェクタの強度上の不利に繋がる。
【０００８】
本発明はこのような実情に鑑みてなされたものであって、その目的は、噴射量指令値に相当する量の燃料を直噴インジェクタだけでは噴射しきれずにポート噴射インジェクタからも燃料の噴射を行う際、直噴インジェクタの温度上昇が生じることを抑制できる内燃機関の燃料噴射制御装置を提供することにある。
【課題を解決するための手段】
【０００９】
以下、上記課題を解決するための手段及びその作用効果について記載する。
上記課題を解決する内燃機関の燃料噴射制御装置は、直噴噴射量が直噴インジェクタから噴射可能な最大値よりも多いとき、その直噴噴射量を上記最大値に調整しつつ、ポート噴射量をポート噴射インジェクタから噴射可能な最小値と同じかもしくは同最小値よりも大きい値に調整することにより、噴射量指令値に相当する量の燃料噴射を実現するための噴射処理を実行する制御部を備える。この制御部は、上記噴射処理でポート噴射量を上記最小値に調整している期間中には、直噴噴射量を上記最大値に維持して直噴インジェクタからの燃料噴射を実行する。この場合、直噴噴射量とポート噴射量との合計値が噴射量指令値よりも小さくなることはないため、それら直噴噴射量とポート噴射量とで噴射量指令値に相当する燃料量を満たすことができる。言い換えれば、噴射量指令値に相当する量の燃料を直噴インジェクタだけでは噴射しきれないとき、その分の燃料がポート噴射インジェクタから噴射される。更に、このときには直噴噴射量が上記最大値に調整されるため、同直噴噴射量が上記最大値未満になることに伴って直噴インジェクタを通過する燃料の流量が低下することを抑制でき、その燃料の流量低下による直噴インジェクタの冷却効率低下に相当する同直噴インジェクタの温度上昇が生じることを抑制できる。
【００１０】
上記制御部は、噴射処理において、直噴噴射量が上記最大値よりも多いときには、直噴インジェクタの温度が判定値以下であることを条件に、直噴噴射量を上記最大値未満の値に減量補正するものであることが好ましい。ここで、直噴噴射量が上記最大値よりも多いとき、その直噴噴射量を上記最大値に調整したとすると、噴射量指令値に相当する量だけ燃料噴射を行うためにポート噴射量を上記最小値未満にしなければならなくなる可能性がある。この場合、ポート噴射量を上記最小値に調整せざるを得ないため、ポート噴射量と直噴噴射量との合計値が噴射量指令値に相当する燃料量に対し多くなり、その分だけ内燃機関の燃費が悪化するおそれがある。しかし、このときには直噴インジェクタの温度が判定値以下という低い値であることを条件に直噴噴射量が上記最大値未満の値に減量補正されるため、それによって直噴噴射量とポート噴射量との合計値が噴射量指令値に相当する燃料量に対し多くなることは抑制され、その燃料の過多に伴う内燃機関の燃費悪化を抑制することができる。なお、直噴噴射量が上記減量補正を通じて上記最大値未満になり、直噴インジェクタを通過する燃料の流量が低下するとしても、このときには直噴インジェクタの温度が上記判定値以下という低い値であるため、上記燃料の流量低下によって直噴インジェクタが過度に高温になることはない。
【００１１】
上記制御部は、噴射処理において、直噴噴射量が上記最大値よりも多いときには、直噴インジェクタの先端部の温度が判定値以下であることを条件に、直噴噴射量を上記最大値未満の値に減量補正するものであることが好ましい。ここで、直噴インジェクタの先端部は液状の燃料が付着しやすい噴孔が存在する部分であり、その部分が高温になることによって噴孔周りに付着した液状の燃料が固化してデポジットとなるおそれがある。この点、上記制御部を通じて直噴噴射量の減量補正が行われるとしても、それに伴って直噴インジェクタの先端部が過度に高温になることはないため、直噴インジェクタの先端部が過度に高温になることに伴って、その先端部にデポジットが付着することを抑制できる。
【００１２】
上記制御部は、直噴噴射量の減量補正後、その直噴噴射量の減量補正量を「０」になるまで徐々に小さくしてゆくものであることが好ましい。この場合、直噴噴射量の減量補正量が急激に「０」とされることに伴って、内燃機関の出力トルクに変動が生じることを抑制できる。
【００１３】
なお、上記噴射量指令値としては、機関運転状態に基づき求められる基本燃料噴射量に対し増量補正を行うことによって得られるものとすることが考えられる。そして、上記噴射量指令値が内燃機関の全負荷状態での燃料噴射量以下である状況のもとでは、同噴射量指令値に相当する量の燃料を、機関運転状態に応じて求められる噴き分け率をもって、ポート噴射インジェクタからの噴射と直噴インジェクタからの噴射とに分けて噴射する噴き分け噴射を行うことが考えられる。また、上記噴射量指令値が内燃機関の全負荷状態での燃料噴射量よりも大きい値である状況のもとでは、噴射量指令値が直噴噴射量の上記最大値以下であれば同直噴噴射量を上記最大値に調整し、噴射量指令値が直噴噴射量の上記最大値よりも大きい値であれば上記制御部による噴射処理を実施することが考えられる。
【図面の簡単な説明】
【００１４】
【図１】内燃機関及びその燃料噴射制御装置を示す略図。
【図２】（ａ）〜（ｃ）は、直噴インジェクタのみで噴射量指令値に相当する量の燃料を噴射している状態から直噴噴射量（噴射量指令値 ）が最大値を越えて増大したときの直噴噴射量とポート噴射量の合計値の変化、直噴噴射量の変化、及びポート噴射量の変化を示すグラフ。
【図３】ポート噴射インジェクタ及び直噴インジェクタを駆動制御する手順を示すフローチャート。
【図４】機関回転速度の変化に対する全負荷噴射量、及び直噴インジェクタから噴射可能な燃料量の最大値の推移を示すグラフ。
【図５】直噴インジェクタのみで噴射量指令値に相当する量の燃料を噴射している状況のもとでの直噴噴射量の減量補正の実行態様、及び、その減量補正の終了態様を示すタイムチャート。
【図６】ポート噴射インジェクタ及び直噴インジェクタを駆動制御する手順を示すフローチャート。
【図７】ポート噴射インジェクタ及び直噴インジェクタを駆動制御する手順を示すフローチャート。
【発明を実施するための形態】
【００１５】
［第１実施形態］
以下、自動車に搭載される内燃機関に適用される燃料噴射制御装置の第１実施形態について、図１〜図４を参照して説明する。
【００１６】
図１に示される内燃機関１の吸気通路２には、燃焼室３に吸入される空気の量（吸入空気量）を調整すべく開閉動作するスロットルバルブ４が設けられている。このスロットルバルブ４の開度（スロットル開度）は、自動車の運転者によって踏み込み操作されるアクセルペダル５の操作量（アクセル操作量）に応じて調節される。また、内燃機関１は、吸気通路２から燃焼室３の吸気ポート２ａに向けて燃料を噴射するポート噴射インジェクタ６と、燃焼室３内（筒内）に燃料を噴射する直噴インジェクタ７とを備えている。
【００１７】
内燃機関１においては、ポート噴射インジェクタ６及び直噴インジェクタ７のうち少なくとも一方から噴射される燃料と吸気通路２を流れる空気とからなる混合気が燃焼室３に充填され、この混合気に対し点火プラグ１２による点火が行われる。そして、点火後の混合気が燃焼すると、そのときの燃焼エネルギによりピストン１３が往復移動し、それに伴いクランクシャフト１４が回転する。一方、燃焼後の混合気は排気として排気通路１５に送り出される。
【００１８】
内燃機関１の燃料噴射制御装置は、内燃機関１の各種運転制御を行う電子制御装置１６を備えている。この電子制御装置１６には、上記各種運転制御に係る各種演算処理を実行するＣＰＵ、その制御に必要なプログラムやデータの記憶されたＲＯＭ、ＣＰＵの演算結果等が一時記憶されるＲＡＭ、外部との間で信号を入・出力するための入・出力ポート等が設けられている。
【００１９】
電子制御装置１６の入力ポートには、以下に示す各種のセンサ等が接続されている。
・アクセル操作量を検出するアクセルポジションセンサ１７。
・スロットル開度を検出するスロットルポジションセンサ１８。
【００２０】
・吸気通路２を通過する空気の量（内燃機関１の吸入空気量）を検出するエアフローメータ１９。
・クランクシャフト１４の回転に対応した信号を出力するクランクポジションセンサ２０。
【００２１】
・内燃機関１の冷却水の温度を検出する水温センサ２１。
また、電子制御装置１６の出力ポートには、スロットルバルブ４、ポート噴射インジェクタ６、直噴インジェクタ７、及び点火プラグ１２といった各種機器の駆動回路等が接続されている。
【００２２】
そして、電子制御装置１６は、上記各種センサ等から入力した信号に基づき機関回転速度や機関負荷といった機関運転状態を把握し、その把握した機関運転状態に基づいてスロットルバルブ４、ポート噴射インジェクタ６、直噴インジェクタ７、及び点火プラグ１２といった各種機器の駆動回路に対し指令信号を出力する。こうして内燃機関１のスロットル開度制御、燃料噴射制御、及び点火時期制御など、内燃機関１の各種運転制御が電子制御装置１６を通じて実施される。ちなみに、上記機関回転速度は、クランクポジションセンサ２０からの検出信号に基づき求められる。また、機関負荷は、内燃機関１の吸入空気量に対応するパラメータと上記機関回転速度とから算出される。なお、吸入空気量に対応するパラメータとしては、エアフローメータ１９からの検出信号に基づき求められる内燃機関１の吸入空気量の実測値、スロットルポジションセンサ１８からの検出信号に基づき求められるスロットル開度、及びアクセルポジションセンサ１７からの検出信号に基づき求められるアクセル操作量等があげられる。
【００２３】
次に、内燃機関１におけるポート噴射インジェクタ６や直噴インジェクタ７を用いた燃料噴射制御について説明する。
この燃料噴射制御は、機関回転速度及び機関負荷といった機関運転状態に基づき噴射量指令値Ｑall を求め、その噴射量指令値Ｑall に相当する量の燃料をポート噴射インジェクタ６と直噴インジェクタ７との少なくとも一方から噴射させることで実現される。なお、上記噴射量指令値Ｑall は、機関回転速度及び機関負荷に基づき求められる基本燃料噴射量Ｑに対し、増量補正値ＫＦ分の増量補正を加えることによって求められる。この増量補正値ＫＦ分の増量補正は、例えば、内燃機関１における低吸気温時における燃料噴射量の増量や、ノッキング抑制のための点火時期遅角に伴う燃料噴射量の増量のために行われる。
【００２４】
ちなみに、この内燃機関１においては、機関回転速度及び機関負荷に応じて区画された機関運転領域毎に、燃料噴射のために使用されるインジェクタ６，７が選択される。詳しくは、内燃機関１の低回転低負荷運転時には、ポート噴射インジェクタ６から噴射される燃料の量の指令値であるポート噴射量Ｑｉを上記噴射量指令値Ｑall に設定する。そして、ポート噴射量Ｑｉに相当する量の燃料がポート噴射インジェクタ６から噴射されるよう同インジェクタ６を駆動することにより、ポート噴射インジェクタ６のみから噴射量指令値Ｑall 分の燃料の噴射を行う。これは、低回転低負荷領域では、ピストン１３の移動速度が遅くなる関係から燃焼室３内でのピストン１３の移動による空気と燃料との混合が行われにくく、ポート噴射インジェクタ６のみから燃料を噴射して同燃料を吸気ポート２ａ内で予め空気と混合した後に燃焼室３に吸入することが好ましいためである。
【００２５】
また、内燃機関１の高回転高負荷運転時には、直噴インジェクタ７から噴射される燃料の量の指令値である直噴噴射量Ｑｄを上記噴射量指令値Ｑall に設定する。そして、直噴噴射量Ｑｄに相当する量の燃料が直噴インジェクタ７から噴射されるよう同インジェクタ７を駆動することにより、直噴インジェクタ７のみから噴射量指令値Ｑall 分の燃料の噴射を行う。これは、高回転高負荷領域では、直噴インジェクタ７から噴射された燃料の気化潜熱によりピストン１３を冷却することが、内燃機関１の吸気充填効率を高めて同内燃機関１の出力を向上するうえで好ましいためである。なお、高回転高負荷領域と低回転低負荷領域との間の領域は、それら二つの領域における両方の特性を有していることから、そうした特性に対応すべくポート噴射インジェクタ６と直噴インジェクタ７との両方からの燃料噴射を行う。
【００２６】
ここで、ポート噴射インジェクタ６と直噴インジェクタ７との両方からの燃料噴射（噴き分け噴射）について詳しく述べる。この噴き分け噴射を行う際には、機関回転速度や機関負荷といった機関運転状態に基づいて求められる噴き分け率Ｋをもって、噴射量指令値Ｑall がポート噴射量Ｑｉと直噴噴射量Ｑｄとに分けられる。このように分けられたポート噴射量Ｑｉと直噴噴射量Ｑｄとの合計値は、上記噴射量指令値Ｑall と等しい値になる。なお、上記噴き分け率Ｋは、「０％〜１００％」という範囲で変化する。この噴き分け率Ｋが「０％」に近くなるほど、直噴噴射量Ｑｄが大きくなるとともにポート噴射量Ｑｉが小さくなる。一方、上記噴き分け率Ｋが「１００％」に近くなるほど、直噴噴射量Ｑｄが小さくなるとともにポート噴射量Ｑｉが大きくなる。上述したようにポート噴射量Ｑｉ及び直噴噴射量Ｑｄが定められると、ポート噴射インジェクタ６からポート噴射量Ｑｉに対応した量の燃料噴射が行われるよう同インジェクタ６が駆動される一方、直噴インジェクタ７から直噴噴射量Ｑｄに対応した量の燃料噴射が行われるよう同インジェクタ７が駆動される。
【００２７】
ところで、内燃機関１の高回転高負荷運転時、噴射量指令値Ｑall に相当する量の燃料噴射が直噴インジェクタ７のみを用いて行われている状況のもと、その直噴インジェクタ７からの噴射される燃料の量である直噴噴射量Ｑｄ（噴射量指令値Ｑall ）が、同直噴インジェクタ７から噴射可能な最大値Ｑdmaxよりも多くなることがある。例えば、高回転高負荷運転時には噴射量指令値Ｑall を求めるための基本燃料噴射量Ｑが多くなり、そうした状況のもとで増量補正値ＫＦ分の増量補正が多く行われると、直噴噴射量Ｑｄ（噴射量指令値Ｑall ）が多くなる。一方、上記最大値Ｑdmaxは、機関回転速度の上昇によって直噴インジェクタ７からの燃料噴射が可能な時間、例えば内燃機関１のピストンが吸気上死点から吸気下死点まで移動する際の時間が短くなることから、機関回転速度の上昇に伴って徐々に小さい値になってゆく。以上のことから、内燃機関１の高回転高負荷運転時には、上記直噴噴射量Ｑｄ（噴射量指令値Ｑall ）が上記最大値Ｑdmaxよりも多くなることがある。
【００２８】
このように直噴噴射量Ｑｄが上記最大値Ｑdmaxを越えて大きい値になる場合、直噴インジェクタ７だけでは噴射量指令値Ｑall に相当する量の燃料を噴射しきれないため、その燃料の噴射を直噴インジェクタ７とポート噴射インジェクタ６とで分担して行うことが考えられる。この場合、ポート噴射インジェクタ６から噴射される燃料の量であるポート噴射量Ｑｉについては、同ポート噴射インジェクタ６から噴射可能な最小値Ｑimin以上、すなわち同最小値Ｑiminと同じか、同最小値Ｑiminよりも大きい値とする必要がある。なお、上記最小値Ｑiminは、ポート噴射インジェクタ６から正確な量の燃料を安定して噴射することが可能な最小の燃料量であり、機関回転速度の上昇に伴って徐々に大きい値になる可変値である。従って、ポート噴射量Ｑｉを上記最小値Ｑimin以上に調整することにより、ポート噴射インジェクタ６から噴射される燃料の量を正確且つ安定してポート噴射量Ｑｉに調整することができる。
【００２９】
ただし、直噴噴射量Ｑｄが上記最大値Ｑdmaxを越えて大きい値になることに起因して、噴射量指令値Ｑall に相当する量の燃料の噴射を直噴インジェクタ７とポート噴射インジェクタ６とで分担して行う際、直噴噴射量Ｑｄの上記最大値Ｑdmaxに対する増大幅がポート噴射量Ｑｉの上記最小値Ｑimin未満である可能性もある。この場合、ポート噴射量Ｑｉと直噴噴射量Ｑｄとの合計値を噴射量指令値Ｑall に合わせようとすると、ポート噴射量Ｑｉが上記最小値Ｑiminに調整される一方、直噴噴射量Ｑｄが噴射量指令値Ｑall から上記最小値Ｑiminを減算した値、すなわち上記最大値Ｑdmax未満の値に調整されるようになる。このように直噴噴射量Ｑｄが上記最大値Ｑdmax未満の値に調整されると、直噴インジェクタ７を通過して筒内（燃焼室３内）に噴射される燃料の流量が低下するため、その燃料の通過による直噴インジェクタ７の冷却効率が低下して同直噴インジェクタ７の温度上昇が生じる。そして、こうした直噴インジェクタ７の温度上昇が同直噴インジェクタ７の強度上の不利に繋がる。
【００３０】
こうした直噴インジェクタ７の温度上昇を抑制するため、本実施形態の燃料噴射制御装置では、直噴噴射量Ｑｄが最大値Ｑdmaxよりも多いとき、直噴噴射量Ｑｄを最大値Ｑdmaxに調整しつつ、ポート噴射量Ｑｉを最小値Ｑiminと同じか同最小値Ｑiminよりも大きい値に調整する。このときの電子制御装置１６は、上述した状況下で噴射量指令値Ｑall に相当する量の燃料噴射を実現するための噴射処理を実行する制御部として機能する。更に、電子制御装置１６を通じて行われる上記噴射処理でポート噴射量Ｑｉに調整している期間中には、直噴噴射量Ｑｄを最大値Ｑdmaxに維持した状態で直噴インジェクタ７からの燃料噴射を実行する。
【００３１】
次に、本実施形態における燃料噴射制御装置の動作について説明する。
図２（ａ）〜（ｃ）は、直噴インジェクタ７のみで噴射量指令値Ｑall に相当する量の燃料を噴射している状態から直噴噴射量Ｑｄ（噴射量指令値Ｑall ）が最大値Ｑdmaxを越えて増大したときの直噴噴射量Ｑｄとポート噴射量Ｑｉとの合計値の変化、直噴噴射量Ｑｄの変化、及びポート噴射量Ｑｉの変化をそれぞれ示している。
【００３２】
直噴インジェクタ７のみで噴射量指令値Ｑall に相当する量の燃料を噴射している状況のもと、例えば機関負荷が所定値ＫＬａ以上になって噴射量指令値Ｑall が最大値Ｑdmaxよりも大きい値になると、直噴噴射量Ｑｄだけでは噴射量指令値Ｑall に相当する燃料量を満たすことができなくなる。このため、噴射量指令値Ｑall が最大値Ｑdmaxを越えて多くなると、ポート噴射インジェクタ６からの燃料噴射が開始される。
【００３３】
ここで、機関負荷が所定値ＫＬａから所定値ＫＬｂまでの範囲内の値であるときには、直噴噴射量Ｑｄを最大値Ｑdmaxに調整したとすると、ポート噴射量Ｑｉで噴射量指令値Ｑall に相当する燃料量を満たすために必要な燃料量は、図２（ｃ）の二点鎖線で示すように最小値Ｑimin未満になる。しかし、ポート噴射量Ｑｉが最小値Ｑimin未満になると、ポート噴射インジェクタ６から噴射される燃料の量を正確且つ安定した値に調整することができないため、このときにはポート噴射量Ｑｉが最小値Ｑiminに調整される。このため、機関負荷が所定値ＫＬａから所定値ＫＬｂまでの範囲内の値であるときには、ポート噴射量Ｑｉが図２（ｃ）に実線で示すように必要量（二点鎖線）に対し所定値Ａだけ多くなる。その結果、機関負荷が所定値ＫＬａから所定値ＫＬｂまでの範囲内の値であるときには、直噴噴射量Ｑｄとポート噴射量Ｑｉとの合計値も、図２（ａ）に二点鎖線で示す噴射量指令値Ｑall に対し所定値Ａだけ大きい値になる。
【００３４】
上述したように機関負荷が所定値ＫＬａから所定値ＫＬｂまでの範囲内の値であるとき、直噴噴射量Ｑｄとポート噴射量Ｑｉとの合計値を噴射量指令値Ｑall に合わせ込むため、仮に直噴噴射量Ｑｄを図２（ｂ）の二点鎖線で示すように最大値Ｑdmaxから所定値Ａだけ減量補正したとすると、上述した問題が生じることは避けられない。すなわち、直噴インジェクタ７内を流れる燃料の流量低下に伴い、同燃料による直噴インジェクタ７の冷却効率が低下して同直噴インジェクタ７の温度が上昇し、その温度の上昇が直噴インジェクタ７の強度上の不利に繋がるという問題が生じる。しかし、機関負荷が所定値ＫＬａから所定値ＫＬｂまでの範囲内の値であるとき、言い換えればポート噴射量Ｑｉが最小値Ｑiminに調整されている期間中には、図２（ｂ）に実線で示すように直噴噴射量Ｑｄが最大値Ｑdmaxに維持されるため、上述した直噴インジェクタ７の温度上昇を抑制することができる。
【００３５】
なお、機関負荷が所定値ＫＬａから所定値ＫＬｂまでの範囲内の値になるときであって、ポート噴射量Ｑｉが最小値Ｑiminに調整されている期間中に、直噴噴射量Ｑｄが最大値Ｑdmaxに維持すると、直噴噴射量Ｑｄとポート噴射量Ｑｉの合計値が図２（ａ）に示すように噴射量指令値Ｑall （二点鎖線）よりも大きい値にはなる。しかし、直噴噴射量Ｑｄとポート噴射量Ｑｉとの合計値が噴射量指令値Ｑall よりも小さくなることはないため、それら直噴噴射量Ｑｄとポート噴射量Ｑｉとで噴射量指令値Ｑall に相当する燃料量を満たすことができる。言い換えれば、噴射量指令値Ｑall に相当する量の燃料を直噴インジェクタ７だけでは噴射しきれないとき、その分の燃料がポート噴射インジェクタ６から噴射される。
【００３６】
図３は、ポート噴射インジェクタ６及び直噴インジェクタ７を駆動制御するための燃料噴射ルーチンを示すフローチャートである。この燃料噴射ルーチンは、電子制御装置１６を通じて、例えば所定時間毎の時間割り込みにて周期的に実行される。
【００３７】
電子制御装置１６は、ステップ１０１（Ｓ１０１）の処理として、機関回転速度及び機関負荷といった機関運転状態に基づき基本燃料噴射量Ｑを算出する。その後、電子制御装置１６は、Ｓ１０２の処理として、内燃機関１における低吸気温時における燃料噴射量の増量や、ノッキング抑制のための点火時期遅角に伴う燃料噴射量の増量のための増量補正値ＫＦを大気温や点火時期の遅角量に基づいて算出する。更に、電子制御装置１６は、Ｓ１０３の処理として、基本燃料噴射量Ｑに対し増量補正値ＫＦ分の増量補正を加えることにより噴射量指令値Ｑall を算出する。
【００３８】
燃料噴射ルーチンにおけるＳ１０４の処理は、直噴インジェクタ７のみからの燃料噴射が実施され、且つ、直噴噴射量Ｑｄが最大値Ｑdmaxを超えて大きくなる可能性のある機関運転状態であるか否かを判断するためのものである。電子制御装置１６は、このＳ１０４の処理として、噴射量指令値Ｑall が内燃機関１の全負荷状態での総燃料噴射量である全負荷噴射量Ｑwot よりも大きいか否かを判断する。なお、ここで用いられる全負荷噴射量Ｑwotは、機関回転速度に基づき求められるものであり、その機関回転速度の変化に対し例えば図４に実線Ｌ１で示すように変化する。そして、Ｓ１０４で否定判定であれば、直噴インジェクタ７のみからの燃料噴射が実施され、且つ、直噴噴射量Ｑｄが最大値Ｑdmaxを超えて大きくなる可能性のある機関運転状態ではない旨判断され、Ｓ１０５に進む。電子制御装置１６は、Ｓ１０５の処理として、通常どおりの噴き分け噴射を実行する。一方、Ｓ１０４で肯定判定であれば、直噴インジェクタ７のみからの燃料噴射が実施され、且つ、直噴噴射量Ｑｄが最大値Ｑdmaxを超えて大きくなる可能性のある機関運転状態である旨判断され、Ｓ１０６に進む。
【００３９】
電子制御装置１６は、Ｓ１０６の処理として、噴射量指令値Ｑall が最大値Ｑdmaxよりも大きい値であるか、言い換えれば噴射量指令値Ｑall に相当する燃料を直噴インジェクタ７のみから噴射したときに直噴噴射量Ｑｄが最大値Ｑdmaxよりも多くなるか否かを判断する。なお、ここで用いられる最大値Ｑdmaxは、機関回転速度に基づき求められるものであり、その機関回転速度の変化に対し例えば図４に実線Ｌ２で示すように変化する。上記Ｓ１０６で否定判定であれば、Ｓ１０７に進んで直噴噴射量Ｑｄを噴射量指令値Ｑall に調整する。電子制御装置１６は、続くＳ１１１の処理で同直噴噴射量Ｑｄ（噴射量指令値Ｑall ）に相当する量の燃料を直噴インジェクタ７から噴射させ、その後に燃料噴射ルーチンを一旦終了する。
【００４０】
一方、Ｓ１０６で肯定判定であれば、Ｓ１０８に進んで直噴噴射量Ｑｄを最大値Ｑdmaxに調整し、更にポート噴射量Ｑｉを噴射量指令値Ｑall から直噴噴射量Ｑｄ（最大値Ｑdmax）を減算した値（「Ｑall −Ｑdmax」）に調整する。その後、電子制御装置１６は、Ｓ１０９の処理として、ポート噴射量Ｑｉ（「Ｑall −Ｑdmax」）が最小値Ｑimin以上であるか否かを判断する。このＳ１０９で肯定判定であれば、電子制御装置１６は、Ｓ１１１の処理で上記直噴噴射量Ｑｄ（最大値Ｑdmax）に相当する量の燃料を直噴インジェクタ７から噴射させるとともに、上記ポート噴射量Ｑｉ（「Ｑall −Ｑdmax」）に相当する量の燃料をポート噴射インジェクタ６から噴射させ、その後に燃料噴射ルーチンを一旦終了する。一方、Ｓ１０９の処理で否定判定であれば、電子制御装置１６は、Ｓ１１０でポート噴射量Ｑｉを最小値Ｑiminに調整する。電子制御装置１６は、Ｓ１１１の処理で上記直噴噴射量Ｑｄ（最大値Ｑdmax）に相当する量の燃料を直噴インジェクタ７から噴射させるとともに、上記ポート噴射量Ｑｉ（最小値Ｑimin）に相当する量の燃料をポート噴射インジェクタ６から噴射させ、その後に燃料噴射ルーチンを一旦終了する。
【００４１】
以上詳述した本実施形態によれば、以下に示す効果が得られるようになる。
（１）直噴インジェクタ７のみで噴射量指令値Ｑall に相当する量の燃料を噴射している状況のもと、直噴噴射量Ｑｄ（噴射量指令値Ｑall ）が最大値Ｑdmaxよりも大きい値になると、次のように噴射量指令値Ｑall に相当する量の燃料噴射を実現するための噴射処理が実行される。すなわち、直噴噴射量Ｑｄを最大値Ｑdmaxに調整しつつ、ポート噴射量Ｑｉを最小値Ｑiminと同じかもしくは同最小値Ｑiminよりも大きい値に調整することにより、直噴インジェクタ７から直噴噴射量Ｑｄ（最大値Ｑdmax）分の燃料が噴射されるとともに、ポート噴射インジェクタ６からポート噴射量Ｑｉ（最小値Ｑimin以上）分の燃料が噴射される。そして、上記噴射処理でポート噴射量Ｑｉを最小値Ｑiminに調整している期間中には、直噴噴射量Ｑｄを最大値Ｑdmaxに維持して直噴インジェクタ７からの燃料噴射を実行する。この場合、直噴噴射量Ｑｄとポート噴射量Ｑｉとの合計値が噴射量指令値Ｑall よりも小さくなることはないため、それら直噴噴射量Ｑｄとポート噴射量Ｑｉとで噴射量指令値Ｑall に相当する燃料量を満たすことができる。言い換えれば、噴射量指令値Ｑall に相当する量の燃料を直噴インジェクタ７だけでは噴射しきれないとき、その分の燃料がポート噴射インジェクタ６から噴射される。更に、このときには直噴噴射量Ｑｄが上記最大値Ｑdmax に調整されるため、同直噴噴射量Ｑｄが上記最大値Ｑdmax未満になることに伴って直噴インジェクタ７を通過する燃料の流量が低下することを抑制でき、その燃料の流量低下による直噴インジェクタ７の冷却効率低下に相当する同直噴インジェクタ７の温度上昇が生じることを抑制できる。従って、こうした直噴インジェクタ７の温度上昇が同直噴インジェクタ７の強度上の不利に繋がることを抑制できる。
【００４２】
［第２実施形態］
次に、内燃機関の燃料噴射制御装置の第２実施形態について、図５〜図７を参照して説明する。
【００４３】
この実施形態では、直噴インジェクタ７のみで噴射量指令値Ｑall に相当する量の燃料を噴射している状況のもと、直噴噴射量Ｑｄ（噴射量指令値Ｑall ）が最大値Ｑdmaxよりも大きい値になると、次のように噴射量指令値Ｑall に相当する量の燃料噴射を実現するための噴射処理が実行される。すなわち、直噴インジェクタ７の温度（例えば先端部の温度）が判定値以下であることを条件に、直噴噴射量Ｑｄが最大値Ｑdmax未満の値に減量補正されるよう、同直噴噴射量Ｑｄに対し減量補正量ＱＫ分の減量補正が施される。更に、減量補正後の直噴噴射量Ｑｄで直噴インジェクタ７からの燃料噴射を行っても、噴射量指令値Ｑall に相当する燃料量に満たない分については、ポート噴射インジェクタ６からの燃料噴射で補われる。なお、このときのポート噴射量Ｑｉは、少なくとも最小値Ｑiminとされる。
【００４４】
ここで、上述したように直噴噴射量Ｑｄが最大値Ｑdmaxよりも多くなったとき、仮に直噴噴射量Ｑｄを最大値Ｑdmaxに調整したとすると、噴射量指令値Ｑall に相当する量だけ燃料噴射を行うためにポート噴射量Ｑｉを最小値Ｑimin未満にしなければならなくなる可能性がある。この場合、ポート噴射量Ｑｉを上記最小値Ｑiminに調整せざるを得ないため、ポート噴射量Ｑｉと直噴噴射量Ｑｄとの合計値が噴射量指令値Ｑall に相当する燃料量に対し過多となり、その分だけ内燃機関１の燃費が悪化するおそれがある。
【００４５】
こうしたことに対処するため、上述したように上述したように直噴噴射量Ｑｄが最大値Ｑdmaxよりも多くなったときには、減量補正量ＱＫによって直噴噴射量Ｑｄが上記最大値Ｑdmax未満の値に減量補正される。これにより、ポート噴射量Ｑｉが最小値Ｑiminに調整されたときの直噴噴射量Ｑｄとポート噴射量Ｑｉとの合計値が、噴射量指令値Ｑall に相当する燃料量に対し過多となることは抑制され、上記燃料量の過多に伴う内燃機関１の燃費悪化が抑制される。なお、直噴噴射量Ｑｄが減量補正量ＱＫによる上記減量補正を通じて上記最大値Ｑdmax未満になり、直噴インジェクタ７を通過する燃料の流量が低下するとしても、このときには直噴インジェクタ７の先端部の温度が上記判定値以下という低い値であるため、上記燃料の流量低下によって直噴インジェクタ７が過度に高温になることはない。
【００４６】
また、上記直噴噴射量Ｑｄの減量補正後、噴射量指令値Ｑall が最大値Ｑdmax以下になると、直噴噴射量Ｑｄにおける減量補正量ＱＫが「０」になるまで徐々に小さくされる。このように減量補正量ＱＫが「０」になるまで徐々に小さくされる過程では、その減量補正量ＱＫによる減量補正後の直噴噴射量Ｑｄが噴射量指令値Ｑall よりも小さい値になる。この場合、減量補正後の直噴噴射量Ｑｄで直噴インジェクタ７からの燃料噴射を行っても噴射量指令値Ｑall に相当する燃料量に満たない分については、ポート噴射インジェクタ６からの燃料噴射で補われる。なお、このときのポート噴射量Ｑｉについても、上記と同様少なくとも最小値Ｑiminとされる。
【００４７】
図５は、直噴インジェクタ７のみで噴射量指令値Ｑall に相当する量の燃料を噴射している状況のもとでの上述した直噴噴射量Ｑｄの減量補正量ＱＫ分の減量補正の実行態様、及び、その減量補正の終了態様の一例を示したタイムチャートである。
【００４８】
直噴インジェクタ７のみで噴射量指令値Ｑall に相当する量の燃料を噴射している状況では、直噴噴射量Ｑｄと噴射量指令値Ｑall とが等しくなる。この直噴噴射量Ｑｄ（噴射量指令値Ｑall ）が増加して最大値Ｑdmaxを越えて多くなると（タイミングＴ１）、直噴インジェクタ７の先端部の温度が判定値未満という低い値であることを条件に、直噴噴射量Ｑｄが減量補正量ＱＫ分だけ減量補正される。そして、この減量補正後に噴射量指令値Ｑall が最大値Ｑdmax以下になったとすると、減量補正量ＱＫが「０」になるまで徐々に小さくされる。その結果、減量補正量ＱＫによる減量補正後の直噴噴射量Ｑｄが、図中に実線で示すように最大値Ｑdmax に向けて徐々に多くなってゆき、タイミングＴ２にて最大値Ｑdmaxに到達する。
【００４９】
図６及び図７は、本実施形態の燃料噴射ルーチンを示すフローチャートである。この燃料噴射ルーチンも、電子制御装置１６を通じて、例えば所定時間毎の時間割り込みにて周期的に実行される。この燃料噴射ルーチンにおいては、第１実施形態の燃料噴射ルーチン（図４）おけるＳ１０１〜Ｓ１０６、Ｓ１０８〜Ｓ１１０、Ｓ１０７、Ｓ１１１に相当する処理（Ｓ２０１〜Ｓ２０６、Ｓ２０８〜Ｓ２１０、Ｓ２１８、Ｓ２１９）が実行されるとともに、同燃料噴射ルーチンに対しＳ２０７及びＳ２１１〜２１７の処理が追加されている。
【００５０】
図６に示す燃料噴射ルーチンでは、基本燃料噴射量Ｑの算出（Ｓ２０１）、増量補正値ＫＦの算出（Ｓ２０２）、及び噴射量指令値Ｑall の算出（Ｓ２０３）が順に行われる。そして、噴射量指令値Ｑall が全負荷噴射量Ｑwot 以下であれば（Ｓ２０４：ＮＯ）、通常どおりの噴き分け噴射が実行される（Ｓ２０５）。一方、噴射量指令値Ｑall が全負荷噴射量Ｑwot よりも多ければ（Ｓ２０４：ＹＥＳ）、噴射量指令値Ｑall が最大値Ｑdmaxよりも大きい値であるか否かが判断される（Ｓ２０６）。ここで肯定判定であればＳ２０７に進む。
【００５１】
電子制御装置１６は、Ｓ２０７の処理として、直噴インジェクタ７の先端部の温度が判定値以下であるか否かを判断する。直噴インジェクタ７の先端部の温度については、水温センサ２１によって検出される内燃機関１の冷却水の温度、及び、機関回転速度や機関負荷といった機関運転状態に基づいて推定することが可能である。また、上記判定値としては、直噴インジェクタ７の先端部の温度が同先端部周りでのデポジットの付着や直噴インジェクタ７の強度上の不利に繋がるほど高い値でないことを的確に判断可能な値に設定されている。
【００５２】
Ｓ２０７で否定判定がなされると、すなわち直噴インジェクタ７の先端部の温度が判定値よりも高い旨判断されると、電子制御装置１６は、Ｓ２０８の処理として、直噴噴射量Ｑｄを最大値Ｑdmaxに調整し、更にポート噴射量Ｑｉを噴射量指令値Ｑall から直噴噴射量Ｑｄ（最大値Ｑdmax）を減算した値（「Ｑall −Ｑdmax」）に調整する。その後、電子制御装置１６は、Ｓ２０９の処理として、ポート噴射量Ｑｉ（「Ｑall −Ｑdmax」）が最小値Ｑimin以上であるか否かを判断する。このＳ２０９で肯定判定であれば、電子制御装置１６は、Ｓ２１９の処理で上記直噴噴射量Ｑｄ（最大値Ｑdmax）に相当する量の燃料を直噴インジェクタ７から噴射させるとともに、上記ポート噴射量Ｑｉ（「Ｑall −Ｑdmax」）に相当する量の燃料をポート噴射インジェクタ６から噴射させ、その後に燃料噴射ルーチンを一旦終了する。
【００５３】
一方、Ｓ２０７で肯定判定がなされると、すなわち直噴インジェクタ７の先端部の温度が判定値以下という低い値である旨判断されると、Ｓ２１１の処理に進む。このＳ２１１の処理は、直噴噴射量Ｑｄを最大値Ｑdmax未満の値に減量補正するとともに、その減量補正後の直噴噴射量Ｑｄに基づきポート噴射量Ｑｉを算出するためのものである。電子制御装置１６は、Ｓ２１１の処理として、噴射量指令値Ｑall から削減量ｄＱｄを減算した値に直噴噴射量Ｑｄを調整する。なお、上記削減量ｄＱｄは、噴射量指令値Ｑall 、最大値Ｑdmax、及び上記減量補正量ＱＫに基づき、次の式「ｄＱｄ＝Ｑall −Ｑdmax＋ＱＫ」を用いて算出される。ここで用いられる減量補正量ＱＫは、直噴インジェクタ７の先端部の温度と上記判定値との乖離に基づき、その乖離が大きいほど大きい値となるよう可変設定される。これは、直噴インジェクタ７の先端部の温度が上記判定値に対して低いほど、直噴噴射量Ｑｄを大幅に減量しても直噴インジェクタ７にデポジットの付着や強度上の不利といった問題が生じにくいためである。更に、電子制御装置１６は、ポート噴射量Ｑｉを噴射量指令値Ｑall から直噴噴射量Ｑｄ（「Ｑall−ｄＱｄ」）を減算した値に調整する。その後、電子制御装置１６は、上述したＳ２０９、Ｓ２１０、Ｓ２１９の処理を実行し、燃料噴射ルーチンを一旦終了する。
【００５４】
上記Ｓ２０６で否定判定がなされると、すなわち噴射量指令値Ｑall が最大値Ｑdmax以下である旨判断されると、上記減量補正量ＱＫを「０」になるまで徐々に小さくするための減少処理が実行される。詳しくは、電子制御装置１６は、図７のＳ２１２の処理として、上記減少処理が実行されているか否かを判断するためのフラグＦが「０（未実行）」であるか否かの判断を行う。上記減量補正量ＱＫによる直噴噴射量Ｑｄの減量補正が行われた後に初めてＳ２１２に進んだとき、もしくは上記減量補正量ＱＫによる直噴噴射量Ｑｄの減量補正が行われていないときにＳ２１２に進んだときには、フラグＦが「０」であることからＳ２１３に進む。電子制御装置１６は、Ｓ２１３の処理として、前回算出された噴射量指令値Ｑall が最大値Ｑdmax以下であったか否かを判断する。ここで否定判定であれば、上記減量補正量ＱＫによる直噴噴射量Ｑｄの減量補正が行われていないときにＳ２１２に進んだと判断できることから、Ｓ２１８に進んで直噴噴射量Ｑｄを噴射量指令値Ｑall に調整する。その後、図６のＳ２１９に進む。
【００５５】
一方、図７のＳ２１３で前回算出された噴射量指令値Ｑall が最大値Ｑdmaxよりも大きい値である旨判断されると、上記減量補正量ＱＫによる直噴噴射量Ｑｄの減量補正が行われているときにＳ２１２に進んだ可能性があると判断できるため、Ｓ２１４に進んでフラグＦを「１（実行）」に設定し、その後にＳ２１５以降の処理を実行する。なお、フラグＦが「１」に設定されると、次回のＳ２１２の処理では否定判定がなされることから、Ｓ２１３、Ｓ２１４をスキップして直接Ｓ２１５に進むようになる。このＳ２１５以降の処理は、減量補正量ＱＫを「０」に向けて徐々に小さくしてゆくためのものである。詳しくは、電子制御装置１６は、Ｓ２１５の処理として減量補正量ＱＫを徐々に「０」に向けて小さくしてゆき、Ｓ２１６の処理として減量補正量ＱＫが「０」であるか否かを判断する。そして、減量補正量ＱＫが「０」まで小さくなると、電子制御装置１６は、Ｓ２１７の処理としてフラグＦを「０」にリセットする。その後、図６のＳ２１１に進む。
【００５６】
以上詳述した本実施形態によれば、以下に示す効果が得られるようになる。
（２）直噴インジェクタ７のみで噴射量指令値Ｑall に相当する量の燃料を噴射している状況のもと、直噴噴射量Ｑｄが最大値Ｑdmaxよりも多くなって同直噴噴射量Ｑｄを最大値Ｑdmaxに調整したとすると、噴射量指令値Ｑall に相当する量だけ燃料噴射を行うためにポート噴射量Ｑｉを最小値Ｑimin未満にしなければならなくなる可能性がある。この場合、ポート噴射量Ｑｉを上記最小値Ｑiminに調整せざるを得ないため、ポート噴射量Ｑｉと直噴噴射量Ｑｄとの合計値が噴射量指令値Ｑall に相当する燃料量に対し過多となり、その分だけ内燃機関１の燃費が悪化するおそれがある。しかし、このときには直噴インジェクタ７の先端部の温度が判定値以下という低い値であることを条件に、直噴噴射量Ｑｄが上記最大値Ｑdmax未満の値に減量補正される。これにより、直噴噴射量Ｑｄとポート噴射量Ｑｉとの合計値が噴射量指令値Ｑall に相当する燃料量に対し過多となることは抑制され、その過多に伴う内燃機関１の燃費悪化を抑制することができる。なお、直噴噴射量Ｑｄが上記減量補正を通じて上記最大値Ｑdmax未満になり、直噴インジェクタ７を通過する燃料の流量が低下するとしても、このときには直噴インジェクタ７の先端部の温度が上記判定値以下という低い値であるため、上記燃料の流量低下によって直噴インジェクタ７が過度に高温になることはない。
【００５７】
（３）直噴インジェクタ７の先端部は液状の燃料が付着しやすい噴孔が存在する部分であり、その部分が高温になることによって噴孔周りに付着した液状の燃料が固化してデポジットとなるおそれがある。この点、上記直噴噴射量Ｑｄの減量補正量ＱＫ分の減量補正が行われるとしても、それに伴って直噴インジェクタ７の先端部が過度に高温になることはない。このため、直噴インジェクタ７の先端部が過度に高温になることに伴って、その先端部にデポジットが付着することを抑制できる。
【００５８】
（４）直噴噴射量Ｑｄの上記減量補正量ＱＫ分の減量補正が行われた後、その減量補正量ＱＫは「０」になるまで徐々に小さくされるため、直噴噴射量Ｑｄの減量補正量が急激に「０」とされることに伴って内燃機関１の出力トルクに変動が生じることを抑制できる。
【００５９】
［その他の実施形態］
なお、上記各実施形態は、例えば以下のように変更することもできる。
・第２実施形態において、必ずしも減量補正量ＱＫを「０」になるまで徐々に小さくする必要はなく、減量補正量ＱＫを「０」まで急速に小さくすることも可能である。
【００６０】
・第２実施形態において、直噴インジェクタ７の温度として同インジェクタ７の先端部の温度を例示したが、その先端部以外の温度を採用してもよい。
・第２実施形態において、直噴インジェクタ７の温度については、必ずしも内燃機関１の冷却水の温度及び機関運転状態に基づく推定値である必要はなく、センサ等により測定される実測値であってもよい。
【符号の説明】
【００６１】
１…内燃機関、２…吸気通路、２ａ…吸気ポート、３…燃焼室、４…スロットルバルブ、５…アクセルペダル、６…ポート噴射インジェクタ、７…直噴インジェクタ、１２…点火プラグ、１３…ピストン、１４…クランクシャフト、１５…排気通路、１６…電子制御装置、１７…アクセルポジションセンサ、１８…スロットルポジションセンサ、１９…エアフローメータ、２０…クランクポジションセンサ、２１…水温センサ。
【図１】
2014129738.tif 000003
【図２】
2014129738.tif 000004
【図３】
2014129738.tif 000005
【図４】
2014129738.tif 000006
【図５】
2014129738.tif 000007
【図６】
2014129738.tif 000008
【図７】
2014129738.tif 000009